(57)【特許請求の範囲】
【請求項１】
蓋部材が蝶番で開閉自在に連結された化粧用コンパクト型撮像装置であって、
被写体像を撮像する撮像手段と、
撮影時における前記撮像手段の撮像面の向きを検出する検出手段と、
前記蓋部材に設けられ、画像を表示する表示手段と、
前記検出手段により検出された前記撮像面の向きが前記表示手段と同一方向であると検出された場合は前記撮像手段の撮影モードをマクロ撮影を行う撮影モードに設定し、他の場合は通常の撮影モードに設定する撮影モード設定手段と、
前記表示手段へ画像を表示するモードを選択する表示モード選択手段と、
前記撮像手段による撮像画像を、前記表示モード選択手段によって選択された表示モードに基づいて、前記被写体像を鏡に映った状態の画像である鏡像画像、前記被写体像を前記鏡像画像とは左右が反転した状態の画像である対人像画像、顔画像のサンプルであるサンプル画像、及び前記サンプル画像と前記鏡像画像又は前記対人像画像とを比較可能に並べて表示する比較画像のうちの何れか１つの画像で、前記表示手段にて表示するように制御する制御手段と、
を有するコンパクト型撮像装置。
【請求項２】
蓋部材が蝶番で開閉自在に連結された化粧用コンパクト型撮像装置であって、
被写体像を撮像する撮像手段と、
撮影時における前記撮像手段の撮像面の向きを検出する検出手段と、
前記蓋部材に設けられ、画像を表示する表示手段と、
前記検出手段により検出された前記撮像面の向きが前記表示手段と同一方向であると検出された場合は前記撮像手段の撮影モードを肌色を強調する撮影モードに設定し、他の場合は通常の撮影モードに設定する撮影モード設定手段と、
前記表示手段へ画像を表示するモードを選択する表示モード選択手段と、
前記撮像手段による撮像画像を、前記表示モード選択手段によって選択された表示モードに基づいて、前記被写体像を鏡に映った状態の画像である鏡像画像、前記被写体像を前記鏡像画像とは左右が反転した状態の画像である対人像画像、顔画像のサンプルであるサンプル画像、及び前記サンプル画像と前記鏡像画像又は前記対人像画像とを比較可能に並べて表示する比較画像のうちの何れか１つの画像で、前記表示手段にて表示するように制御する制御手段と、
を有するコンパクト型撮像装置。
【請求項３】
前記制御手段は、前記撮像手段による撮影画像データに対して、予め定めた複数種類の画像加工処理を施すことが可能であることを特徴とする請求項１又は請求項２記載のコンパクト型撮像装置。
【請求項４】
紫外線の照射量を検出する検出手段をさらに備え、
前記制御手段は、前記検出手段により検出された紫外線の照射量に基づく所定情報を前記表示手段にて表示することを特徴とする請求項１から請求項３までの何れか１項記載のコンパクト型撮像装置。
【請求項５】
外部の情報処理装置とデータ通信を行う通信手段を更に備えることを特徴とする請求項１又は請求項２記載のコンパクト型撮像装置。
【発明の詳細な説明】
【０００１】
【発明の属する技術分野】
本発明は、少なくとも化粧料を保持する携帯用容器としての化粧用コンパクトに関する。
【０００２】
【従来の技術及び発明が解決しようとする課題】
従来から化粧道具として使用されているコンパクトは、所謂ファンデーション、パウダー、アイシャドー等の化粧料を保持するベース部材と、当該ベース部材に蝶番で連結され開閉自在に構成されたカバーとから構成されており、ベース部材と対向するカバー内側の面には鏡が取り付けられ、ユーザはこの鏡に自分自身の顔を映しながら、上記化粧料を用いて化粧を行なうことになる。
【０００３】
しかしながら、従来のコンパクトでは、以下のような問題点があり、化粧する上で十分に機能しているとは言い難く、効率的に化粧を行なうことが困難であった。
【０００４】
▲１▼鏡に映った自分自身を見ることができるが、他人から見た自分の顔を見ることができない。
【０００５】
▲２▼理想の仕上がり状態と、現在の化粧の仕上がり状態とを比較することができない。
【０００６】
▲３▼顔の側面や顔の上下側や後頭部等を見ることができない。
【０００７】
▲４▼特定の部分を拡大してみることができない。
【０００８】
本発明は、上記の問題点を解決すべく成されたもので、効率的に化粧を行なうことができる化粧用コンパクトを提供することを目的とする。
【０００９】
【課題を解決するための手段】
請求項１に記載の発明は、蓋部材が蝶番で開閉自在に連結された化粧用コンパクト型撮像装置であって、被写体像を撮像する撮像手段と、撮影時における前記撮像手段の撮像面の向きを検出する検出手段と、前記蓋部材に設けられ、画像を表示する表示手段と、前記検出手段により検出された前記撮像面の向きが前記表示手段と同一方向であると検出された場合は前記撮像手段の撮影モードをマクロ撮影を行う撮影モードに設定し、他の場合は通常の撮影モードに設定する撮影モード設定手段と、前記表示手段へ画像を表示するモードを選択する表示モード選択手段と、前記撮像手段による撮像画像を、前記表示モード選択手段によって選択された表示モードに基づいて、前記被写体像を鏡に映った状態の画像である鏡像画像、前記被写体像を前記鏡像画像とは左右が反転した状態の画像である対人像画像、顔画像のサンプルであるサンプル画像、及び前記サンプル画像と前記鏡像画像又は前記対人像画像とを比較可能に並べて表示する比較画像のうちの何れか１つの画像で、前記表示手段にて表示するように制御する制御手段と、を有している。
【００１０】
請求項１に記載の発明によれば、撮像手段は、被写体像を撮影する。検出手段は、撮影時における撮像手段の撮像面の向きを検出する。制御手段は、撮像手段により撮影された被写体像を、画像を表示する表示手段で表示するように制御する。撮影モード設定手段は、撮像面の向きが表示手段と同一方向であると検出された場合は前記撮像手段の撮影モードをマクロ撮影を行う撮影モードに設定し、他の場合は通常の撮影モードに設定する。また、制御手段は、表示モード選択手段により選択された表示モードに基づいて、鏡に映った状態の画像で表示する鏡像画像、鏡像画像とは左右が反転した状態の画像である対人像画像、顔画像のサンプルであるサンプル画像、及びサンプル画像と鏡像画像又は対人像画像とを比較可能に並べて表示するように制御する。このことにより、従来の鏡では確認することができなかった、顔の正面以外の、側面や上下部分、或いは後頭部の画像を表示することで、化粧の仕上がり状態を複数の角度から確認することができ、更に顔画像のサンプルであるサンプル画像と比較することにより、効率的な化粧を行なうことができる。
【００１１】
また、蓋部材を閉じた状態では使用されないことから、制御手段では、蓋部材の開閉状態に応じて、蓋部材を開いた場合に、電源を自動的にＯＮし、蓋部材を閉じた場合に電源をＯＦＦするように制御することが好ましい。これにより、省電力化を図ることができる。
【００１２】
また、撮像手段による撮影対象物としてはユーザ自身とユーザ以外の人や物などが考えられるが、撮影モード設定手段が、ユーザ自身を撮影する場合は至近距離による撮影となるため、マクロ撮影モードに自動的に動作設定する。撮影対象物がユーザ自身及びユーザ以外の何れであるかの判断は、検出手段が撮像時における撮像手段の撮像面の向きを検出することで可能である。すなわち、例えば、撮像手段の撮像面が、蓋部材に設けられた表示手段の表示面と同一方向である場合には、ユーザ自身が撮影対象物であると判断できる。
請求項２記載の発明は、請求項１記載の発明と異なり、撮影モード設定手段が、ユーザ自身を撮影する場合は至近距離による撮影となるため、肌色を強調する撮影モードに自動的に動作設定することを特徴としている。
【００１３】
請求項３に記載の発明は、請求項１又は請求項２に記載の発明において、前記制御手段は、前記撮像手段による撮影画像データに対して、予め定めた複数種類の画像加工処理を施すことが可能であることを特徴としている。
【００１４】
請求項３に記載の発明によれば、制御手段は、撮像手段による撮影画像データに対して、例えば、鏡に映った状態の画像や特定の一部分を拡大した画像に加工したり、肌色等の特定の色を強調する加工を施すことで、化粧をする上で有益な画像情報を生成することができる。
【００１５】
請求項４に記載の発明は、請求項１から請求項３までの何れか１項に記載の発明において、紫外線の照射量を検出する検出手段をさらに備え、前記制御手段は、前記検出手段により検出された紫外線の照射量に基づく所定情報を前記表示手段にて表示することを特徴としている。
【００１６】
請求項４に記載の発明によれば、検出手段は、紫外線の照射量を検出する。また、制御手段は、前記検出手段により検出された紫外線の照射量に基づく所定情報（例えば、紫外線の照射量をレベル分けしたレベル情報や、そのレベル情報に応じた注意事項を示す警告情報等）を表示手段にて表示する。これにより、化粧する上で有益な情報のひとつである、紫外線の照射量に関する情報を容易に得ることができる。
請求項５に記載の発明は、請求項１又は請求項２記載の発明において、外部の情報処理装置とデータ通信を行う通信手段をさらに備えることを特徴としている。
請求項５に記載の発明によれば、化粧品メーカーのサーバとの間で付加価値情報のやりとりを行うことができる。
【００１７】
【発明の実施の形態】
以下、図面を参照して本発明の実施の形態を詳細に説明する。
【００１８】
図１には、本実施の形態に係る化粧用コンパクト１０の概略構成が示されている。この化粧用コンパクト１０は、所定の厚みを有する略円盤形状のベース部材１２と、同じく所定の厚みを有する略円盤形状の蓋部材（カバー）１４とが、各々の周縁部の所定位置に設けられた蝶番１６によって連結され、ベース部材１２及びカバー１４の各表面が対向して自在に開閉可能に構成されている。
【００１９】
ベース部材１２の表面（カバー１４と対向する面）上には、所謂ファンデーション、パウダー等の化粧料を保持する保持部１８が複数（本実施の形態では、４つ）設けられている。また、同じくベース部材１２の表面の側縁部近傍に、紫外線の照射量を検出する紫外線センサ２０が設けられている。
【００２０】
図１に示すように、ベース部材１２の表面を正面からみて右側のベース部材１２側面部には、撮影ボタン２２、十字ボタン２４、及び決定ボタン２６が互いに隣接して設けられている。また、ベース部材１２の表面を正面からみて左側のベース部材１２側面部には、後述する外部情報処理装置とのデータ接続のためのコネクタ２８が設けられている。
【００２１】
また、ベース部材１２の蝶番１６が設けられている位置に対して反対側のベース部材１２側面部には、閉じられた状態となっているカバー１４を開放するためのカバー開放スイッチ３０が設けられている。なお、カバー開放スイッチ３０は電源スイッチの機能を有しており、カバー開放スイッチ３０の操作によりカバー１４が開放されることで電源がオンされ、一方、カバー１４が閉じられることで電源がオフされるようになっている。
【００２２】
一方、カバー１４の表面（ベース部材１２と対向する面）中央部には、カラー表示可能なＬＣＤ３２が設けられており、カバー１４の蝶番１６が設けられている位置に対して反対側のカバー１４周縁部には、被写体像を結像させるためのレンズ３４Ａを備えたＣＣＤカメラ３４が配設されている。
【００２３】
図２（Ａ）に示すように、ＣＣＤカメラ３４は、その本体が所定の厚みを有する楕円盤形状とされ、一方の円盤面上にレンズ３４Ａが配設されており、本体内部に備えるＣＣＤ撮像素子の受光面へ被写体像に対応する光を集光するように構成されている。また、図２（Ｂ）に示すように、ＣＣＤカメラ３４本体の両側部には回転軸３４Ｂ、３４Ｃが突出形成されており、各回転軸の軸線が水平方向に沿って一致するように構成されている。一方、カバー１４周縁部におけるＣＣＤカメラ３４の取り付け位置にあたる箇所にはＣＣＤカメラ３４本体の楕円周面形状に対応した凹部が設けられ、その凹部の両端部には上記ＣＣＤカメラ３４の各回転軸３４Ｂ、３４Ｃの軸受け部１４Ｂ、１４Ｃが設けられている。ＣＣＤカメラ３４の各回転軸３４Ｂ、３４Ｃがそれぞれ軸受け部１４Ｂ、１４Ｃに嵌合されることによって、ＣＣＤカメラ３４本体が図２（Ｂ）の矢印Ａ方向に回転可能に軸支される。このことにより、ＣＣＤカメラ３４本体の回転によって、レンズ３４Ａの受光面を、ＬＣＤ３２の表示面と同方向（内向き方向）と、カバー１４の外面と同方向（外向き方向）との２方向に位置決め可能とされている。
【００２４】
図３には、上述した化粧用コンパクト１０の制御系の概略構成が示されている。この化粧用コンパクト１０は、主制御部としてのＣＰＵ４０と、上記ＣＣＤカメラ３４及びこのＣＣＤカメラ３４を駆動するための各種ドライバ回路からなる撮像部４２と、ＬＣＤ３２の表示制御を行なうＬＣＤドライバ４４と、ＬＣＤ３２の各種表示モード（詳細は後述）を設定するＬＣＤ表示モード設定部４６と、ＣＣＤカメラ３４による撮影画像やその他のサンプル画像等の画像データを格納するためのＲＡＭや各種制御プロクラムやパラメータ等を保持するＲＯＭからなるメモリ４８と、上記コネクタ２８に接続された上記外部情報処理装置との間で各種データのやりとりを行なうためのデータ入出力Ｉ／Ｆ部５０とを備えており、各々がバス５２を介して互いに各種信号の授受を可能に接続されている。なお、バス５２には、上記紫外線センサ２０も接続されている。
【００２５】
撮像部４２は、ＣＰＵ４０の制御下で、レンズ３４Ａによって結像された被写体像をＣＣＤで受光し、当該被写体像に対応するデジタル画像データを生成すると共に、生成されたデジタル画像データに対して所定の画像処理を施して、例えば、ズームアップ（ダウン）画像等の各種加工の施された画像データを生成可能とされている。なお、ここで生成された各画像データは、随時メモリ４８に格納され、所望に読込可能となっており、ＣＰＵ４０の制御下で、メモリ４８から読み込まれて、ＬＣＤ３２に表示されるようになっている。また、この撮像部４２では、ＣＣＤカメラ３４のレンズ３４Ａの方向（上記した内向き方向及び外向き方向）を検知する機構（図示せず）も備えている。
【００２６】
また、本実施の形態に係る化粧用コンパクト１０では、大きく分けて３種類の動作モードを備えている。第１は、紫外線センサ２０による紫外線照射量の計測結果に基づく情報表示を行なう紫外線情報表示モードである。第２は、ＣＣＤカメラ３４による撮影処理を行なう撮影モードである。第３は、予め定めた画像データをＬＣＤ３２にて表示する画像表示モードである。この画像表示モードでは、内向き方向にセットされたＣＣＤカメラ３４によって撮影されたユーザの現在の顔画像を鏡に映った状態の画像で表示する鏡像画像表示と、同じくユーザの現在の顔画像を相対する人物から見た状態、すなわち前記鏡像画像とは左右が反転した状態の画像で表示する対人像画像表示と、化粧が最良仕上がり状態である顔画像をサンプル表示するベスト画像表示と、ベスト画像表示で表示される画像と対人像画像表示（或いは鏡像画像表示）で表示される画像とを比較可能に並べて表示する比較画像表示と、を選択可能とされている。なお、本実施の形態に係る化粧用コンパクト１０では、上述の動作モードの他に、上記外部情報処理装置との間で各種データ通信を行なう通信モードや、画質調整パラメータ設定やバッテリー残量表示設定等に関する各種セットアップ項目設定モード等を備えている。
【００２７】
ＬＣＤ表示モード設定部４６は、ＣＰＵ４０の制御下で、上記の各動作モードに応じたＬＣＤ表示の設定を行なうものである。
【００２８】
また、ＣＰＵ４０には、上記撮影ボタン２２、十字ボタン２４、決定ボタン２６、及びカバー開放スイッチ３０が接続されており、各々の制御信号をＣＰＵ４０へ伝達可能に構成されている。
【００２９】
撮影ボタン２２は、ＣＣＤカメラ３４による撮影処理を実行するためのボタンである。また、十字ボタン２４は、その水平方向キーによって、化粧用コンパクト１０の動作モードの切り換え選択やＬＣＤ表示モードの切り換え選択を行ない、その垂直方向キーによって、ＬＣＤ３２に表示された画像のズームアップ（ダウン）指示や各メニュー選択を行なうためのボタンである。また、決定ボタン２６は、十字ボタンで２４で選択された選択肢を決定するためのボタンである。
【００３０】
また、図４には、上記コネクタ２８における上記外部情報処理装置の接続例が示されている。本実施の形態に係る化粧用コンパクト１０の動作モードが上記通信モードである場合には、図４に示すように、例えば、コネクタ２８に無線通信用アンテナ６０を接続し、基地局６２を介した無線通信によって、化粧品メーカー側で設置したサーバ６４との間で各種データ通信を行なうことができる。また、コネクタ２８に一般的な携帯電話７０を接続し、上記の場合と同様に、基地局７２及び電話会社７４を経由して、化粧品メーカー側で設置したサーバ７６との間で各種データ通信を行なうことができる。このことにより、ユーザと化粧品メーカーとの間で各種サービス情報やマーケティング情報等の付加価値情報のやりとりを行なうことができる。また、コネクタ２８にユーザ所有のパソコン８０を接続することで、ユーザ個人で各種画像データ等の情報管理を行なうこともできる。
【００３１】
次に、本実施の形態の作用について説明する。
【００３２】
本実施の形態に係る化粧用コンパクト１０では、ユーザによってカバー開放スイッチ３０が操作されてカバー１４が開放されると、電源がオンされ、各部において、電源投入時における所定の初期化処理がなされた後、図５に示す処理ルーチンが実行される。
【００３３】
まず、ステップ１００では、ＣＰＵ４０は、カバー開放スイッチ３０の状態によって、カバー１４が開放状態のままであるか否かを判断する。
【００３４】
カバー１４がユーザによって閉じられた場合、ステップ１００で否定判断され、ステップ１２４へ進み、電源オフ時における所定の終了処理を行ない本処理ルーチンを終了する。
【００３５】
一方、カバー１４が開放状態のままである場合には、ステップ１０２へ進み、現在の動作モードの認識がなされ、次のステップ１０４にて、認識された動作モードに応じた制御処理が選択される。
【００３６】
認識された動作モードが紫外線情報表示モードである場合には、ステップ１０６へ進み、紫外線センサ２０により紫外線照射量の検出がなされ、次のステップ１０８にて、検出されたデータに基づいて、例えば、図６（Ａ）に示すように、紫外線照射量をレベルメータ９０でレベル表示すると共に、そのレベルに応じた注意書きテキスト９２を表示することで、紫外線情報表示を行なう。
【００３７】
認識された動作モードが撮影モードである場合には、ステップ１１０へ進み、ユーザにより撮影ボタン２２が押圧されることで撮影がなされた否かを判断し、撮影がなされない場合には、本ステップ１１０を繰り返し、撮影がなされた場合には、次のステップ１１２へ進み、撮影画像をメモリ４８に記録する。このことにより、ユーザは自分自身の顔の正面だけでなく側面や上下部分或いは後頭部等を画像として記録することができ、後述するように、ＬＣＤ３２にて表示して確認することができる。
【００３８】
認識された動作モードが画像表示モードである場合には、ステップ１１４へ進み、十字ボタン２４の操作によるズーム画像表示指示がないか否かが判断され、肯定判断の場合には、ステップ１１６に進み、デフォルトで設定されている通常サイズの画像が表示され、一方、否定判断の場合には、ステップ１１８へ進み、十字ボタン２４の操作に応じたズームアップ（ダウン）加工処理がなされたズーム画像が表示される。ここでは、上記ステップ１１２でメモリ４８に格納された画像データが読み込まれ、上述した鏡像画像表示、対人画像表示、及びベスト画像表示の何れか選択された画像表示がなされる。
【００３９】
次のステップ１２０では、上述した比較画像表示指示があるか否かが判断され、肯定判断の場合には、メモリ４８に格納されている画像データが読み込まれ、例えば、図６（Ｂ）に示すように、ＬＣＤ３２表示画面において、左側にベスト画像９４が表示され、右側に現在の画像として対人画像９６が表示された比較画像表示がなされる。
【００４０】
以上説明したように、本実施の形態に係る化粧用コンパクトによれば、ユーザに対して、化粧を効率的に仕上げるために有益な各種の情報を提供することができる。
【００４１】
なお、本実施の形態に係る化粧用コンパクトでは、ＣＣＤカメラが内向き方向である場合の撮影時には、撮影モードを自動的にマクロ撮影モードに変更したり、画像中の肌色成分を強調する肌色強調撮影モード等に変更するようにしてもよい。
【００４２】
【発明の効果】
以上説明したように、本発明によれば、化粧を効率的に仕上げるために有益な画像情報を表示するようにしたので、効率的に化粧を行なうことができる化粧用コンパクトを提供することができる、という優れた効果を有する。
【図面の簡単な説明】
【図１】本発明の実施の形態に係る化粧用コンパクトの概略構成図である。
【図２】（Ａ）は、本発明の実施の形態に係るＣＣＤカメラの構成を説明するための図であり、（Ｂ）は、ＣＣＤカメラの可動構造を説明するための図である。
【図３】本発明の実施の形態に係る化粧用コンパクトの制御系の概略構成図である。
【図４】本発明の実施の形態に係る化粧用コンパクトに接続される外部情報処理装置の例を説明するための図である。
【図５】本発明の実施の形態に係るメイン制御処理の流れを示すフローチャートである。
【図６】（Ａ）は紫外線情報表示の一例を示す図であり、（Ｂ）は比較画像表示の一例を示す図である。
【符号の説明】
１０    化粧用コンパクト
１２    ベース部材
１４    カバー
１８    保持部
２０    紫外線センサ
２２    撮影ボタン
２４    十字ボタン
２６    決定ボタン
２８    コネクタ
３０    カバー開放スイッチ
３２    ＬＣＤ
３４    ＣＣＤカメラ
４０    ＣＰＵ
４６    ＬＣＤ表示モード設定部
【図１】
0003939576.tif 000002
【図２】
0003939576.tif 000003
【図３】
0003939576.tif 000004
【図４】
0003939576.tif 000005
【図５】
0003939576.tif 000006
【図６】
0003939576.tif 000007